(57)【特許請求の範囲】
【請求項１】
第１の現在登録された公衆陸上移動体ネットワーク（ＰＬＭＮ）識別がＰＬＭＮ識別の参照リストに含まれるかどうかを判定するステップ、および
前記現在登録されたＰＬＭＮ識別が前記ＰＬＭＮ識別の参照リストに含まれる時、ユーザー端末（ＵＥ）によって観察されたイベント情報を伝送するステップを含み、前記ＰＬＭＮ識別の参照リストは、等価ＰＬＭＮ（ＥＰＬＭＮ）識別のリストからコピーされたＰＬＭＮ識別か、等価ホームＰＬＭＮ（ＥＨＰＬＭＮ）識別のリストからコピーされたＰＬＭＮ識別のどちらかを含むことを特徴とするユーザー端末によるイベント情報のアクセス管理方法。
【請求項２】
イベント情報を収集するステップ、および
前記イベント情報と前記ＵＥ内の記憶装置の前記ＰＬＭＮ識別の参照リストを保存するステップを更に含むことを特徴とする請求項１に記載のユーザー端末によるイベント情報のアクセス管理方法。
【請求項３】
前記第１の現在登録されたＰＬＭＮ識別が前記ＰＬＭＮ識別の参照リストに含まれる時、イベント情報が使用可能であることを示すイベント情報インジケータを送信するステップをさらに含むことを特徴とする請求項２に記載のユーザー端末によるイベント情報のアクセス管理方法。
【請求項４】
前記イベント情報が要求装置に伝えられる要求を示す要求インジケータを受信するステップ、
第２の現在登録されたＰＬＭＮ識別を判定するステップ、および
前記第２の現在登録されたＰＬＭＮ識別が前記ＰＬＭＮ識別の参照リストに含まれるかどうかを判定するステップを更に含むことを特徴とする請求項３に記載のユーザー端末によるイベント情報のアクセス管理方法。
【請求項５】
前記イベント情報は、ドライブテストの最小化（ＭＤＴ）の測定情報のログ、ブロードキャスト通信の障害情報のログ、ランダムアクセスチャネル（ＲＡＣＨ）性能（ｐｅｒｆｏｒｍａｎｃｅ）のログ、および無線リンク障害を含む通信問題のログ、ハンドオーバー障害、および無線リソース制御（ＲＲＣ）の接続確立障害を含むことを特徴とする請求項１に記載のユーザー端末によるイベント情報のアクセス管理方法。
【請求項６】
前記イベント情報は、ＵＥの位置情報を含むことを特徴とする請求項１に記載のユーザー端末によるイベント情報のアクセス管理方法。
【請求項７】
前記イベント情報は、ＵＥの速度情報を含むことを特徴とする請求項１に記載のユーザー端末によるイベント情報のアクセス管理方法。
【請求項８】
前記第１の現在登録されたＰＬＭＮ識別が前記ＰＬＭＮ識別の参照リストに含まれない時、イベント情報インジケータを伝送しないステップを更に含むことを特徴とする請求項１に記載のユーザー端末によるイベント情報のアクセス管理方法。
【請求項９】
前記第２の現在登録されたＰＬＭＮ識別が前記ＰＬＭＮ識別の参照リストに含まれない時、前記イベント情報を前記要求装置に伝送しないステップを更に含むことを特徴とする請求項４に記載のユーザー端末によるイベント情報のアクセス管理方法。
【請求項１０】
ＰＬＭＮタイプインジケータ値は、第１の前記ＰＬＭＮ識別の参照リストに含まれるＰＬＭＮ識別のタイプを判定し、前記ＰＬＭＮタイプインジケータ値が第１の値に設定されている時、第１の前記ＰＬＭＮ識別の参照リストに含まれる前記ＰＬＭＮ識別は、等価ホーム公衆陸上移動体ネットワーク（ＥＨＰＬＭＮ）識別であることを特徴とする請求項１に記載のユーザー端末によるイベント情報のアクセス管理方法。
【請求項１１】
前記ＰＬＭＮ識別の参照リストに含まれる前記ＰＬＭＮ識別は、前記ＵＥがローミングされていない時、等価ホーム公衆陸上移動体ネットワーク（ＥＨＰＬＭＮ）識別であることを特徴とする請求項１に記載のユーザー端末によるイベント情報のアクセス管理方法。
【請求項１２】
前記要求インジケータを受信するステップ、および前記イベント情報を伝送するステップは、無線アクセスネットワーク（ＲＡＮ）中に行われ、前記ＲＡＮは、ユニバーサル移動体通信システム（ＵＭＴＳ）、発展型ＵＭＴＳ地上無線アクセス（Ｅ−ＵＴＲＡ）ネットワーク、高速ダウンリンクパケットアクセス（ＨＳＤＰＡ）、高速アップリンクパケットアクセス（ＨＳＵＰＡ）、符号分割多元接続（ＣＤＭＡ）ネットワーク、自己管理ネットワーク（ＳＯＮ）、または直交周波数分割多元接続（ＯＦＤＭＡ）無線アクセスネットワークであることを特徴とする請求項４に記載のユーザー端末によるイベント情報のアクセス管理方法。
【請求項１３】
ユーザー端末（ＵＥ）と通信リンクを開始するステップであって、現在登録された公衆陸上移動体ネットワーク（ＰＬＭＮ）識別は、前記ＵＥに保存されるステップ、
イベント情報が使用可能であることを示す前記ＵＥからのイベント情報インジケータを受信するステップ、
前記イベント情報が要求装置に伝えられる要求を前記ＵＥに示す要求インジケータを送信するステップ、および
前記現在登録されたＰＬＭＮ識別が前記ＵＥに保存されたＰＬＭＮ識別の参照リストに含まれる時、前記イベント情報を前記ＵＥから受信するステップを含むことを特徴とするユーザー端末によるイベント情報のアクセス管理方法。
【請求項１４】
前記イベント情報は、ドライブテストの最小化（ＭＤＴ）の測定情報のログ、ブロードキャスト通信の障害情報のログ、ランダムアクセスチャネル（ＲＡＣＨ）性能（ｐｅｒｆｏｒｍａｎｃｅ）のログ、および無線リンク障害を含む通信問題のログ、ハンドオーバー障害、および無線リソース制御（ＲＲＣ）の接続確立障害を含むことを特徴とする請求項１３に記載のユーザー端末によるイベント情報のアクセス管理方法。
【請求項１５】
前記送信するステップ、前記要求インジケータを受信するステップ、および前記イベント情報を受信するステップは、無線アクセスネットワーク（ＲＡＮ）によって行われ、前記ＲＡＮは、ユニバーサル移動体通信システム（ＵＭＴＳ）、発展型ＵＭＴＳ地上無線アクセス（Ｅ−ＵＴＲＡ）ネットワーク、高速ダウンリンクパケットアクセス（ＨＳＤＰＡ）、高速アップリンクパケットアクセス（ＨＳＵＰＡ）、符号分割多元接続（ＣＤＭＡ）、自己管理ネットワーク（ＳＯＮ）、または直交周波数分割多元接続（ＯＦＤＭＡ）無線アクセスネットワークであることを特徴とする請求項１３に記載のユーザー端末によるイベント情報のアクセス管理方法。
【請求項１６】
第１の公衆陸上移動体ネットワーク（ＰＬＭＮ）識別のリストを保存する記憶装置であって、前記第１のＰＬＭＮ識別のリストは、等価ＰＬＭＮ（ＥＰＬＭＮ）識別のリストか、等価ホームＰＬＭＮ（ＥＨＰＬＭＮ）識別のリストのどちらかであること、
第２のＰＬＭＮ識別のリストが前記記憶装置に保存されるようにするプロセッサであって、前記ＰＬＭＮ識別の第２のリストは、前記第１のＰＬＭＮ識別のリストのコピーであること、
イベント情報を収集するイベント測定モジュールであって、イベント情報と現在登録されたＰＬＭＮ識別は、前記記憶装置に保存されること、
前記現在登録されたＰＬＭＮ識別が前記第２のＰＬＭＮ識別のリストに含まれる時、無線アクセスネットワーク（ＲＡＮ）中のイベント情報をＲＡＮの制御ノードと通信させる無線装置を含むことを特徴とするユーザー端末によるイベント情報のアクセス管理装置。
【請求項１７】
前記ＵＥの前記無線装置は、イベント情報が使用可能であることを示すイベント情報インジケータを伝送することを特徴とする請求項１６に記載のユーザー端末によるイベント情報のアクセス管理装置。
【請求項１８】
前記ＵＥの前記無線装置は、前記イベント情報が要求装置に伝えられる要求を示す要求インジケータを受信することを特徴とする請求項１６に記載のユーザー端末によるイベント情報のアクセス管理装置。
【請求項１９】
前記第２のＰＬＭＮ識別のリストに含まれる前記ＰＬＭＮ識別は、等価公衆陸上移動体ネットワーク（ＥＰＬＭＮ）または等価ホーム公衆陸上移動体ネットワーク（ＥＨＰＬＭＮ）であることを特徴とする請求項１６に記載のユーザー端末によるイベント情報のアクセス管理装置。
【請求項２０】
前記ＲＡＮは、ユニバーサル移動体通信システム（ＵＭＴＳ）、発展型ＵＭＴＳ地上無線アクセス（Ｅ−ＵＴＲＡ）ネットワーク、高速ダウンリンクパケットアクセス（ＨＳＤＰＡ）、高速アップリンクパケットアクセス（ＨＳＵＰＡ）、符号分割多元接続（ＣＤＭＡ）、自己管理ネットワーク（ＳＯＮ）、または直交周波数分割多元接続（ＯＦＤＭＡ）無線アクセスネットワークであることを特徴とする請求項１６に記載のユーザー端末によるイベント情報のアクセス管理装置。
【発明の詳細な説明】
【技術分野】
【０００１】
本出願は、３５Ｕ.Ｓ.Ｃ.セクション１１９の下、２０１１年８月１０日に出願された米国特許仮出願番号第６１／５２２０３９号「Equivalent PLMN Support for Minimization of Drive Test（MDT）」からの優先権を主張するものであり、これらの全ては引用によって本願に援用される。
【０００２】
本発明は、無線通信技術に関し、特に、イベント情報が保存されたユーザー端末によるアクセス管理方法およびその装置に関するものである。
【背景技術】
【０００３】
現代の通信は、有線および無線ネットワークの大規模な拡張を実現している。消費者ニーズに応じてコンピュータネットワーク、テレビネットワーク、およびテレフォニーネットワークは、前例のない技術拡大を経験すると同時に、より柔軟性と即時性のある情報伝送を提供している。
【０００４】
現在および未来のネットワーク技術は、情報伝達を容易且つ便利にするように促進し続け、通信業界のサービスプロバイダーは、既存のネットワークの改善を進展させている。例えば、発展型ユニバーサル移動体通信システム（ＵＭＴＳ）の地上波無線アクセスネットワーク（Ｅ−ＵＴＲＡＮ）が現在開発されている。ロングタームエボリューション（ＬＴＥ）としても知られているＥ−ＵＴＲＡＮは、効率の向上、コストの削減、サービスの向上、新しいスペクトル機会の利用、および他のオープン基準とのより良い統合の提供によって従来技術のアップグレードを図っている。
【０００５】
他の先行する電気通信標準と共有されるＥ−ＵＴＲＡＮの利点の１つは、ユーザーが移動性を保持しながら、上述の標準を用いてネットワークにアクセスできることである。よって、例えば、上述の標準に応じて通信するように装備された移動端末を有するユーザーは、ネットワークとの通信を維持しながら厖大な距離を移動することができる。ユーザーの移動性を実現しながら、ユーザーへのアクセスを提供することで、ユーザーは移動しながら、サービスを得ることができる。しかしながら、ユーザーの移動性は、ネットワークが対応する異なるセルまたはサービス領域内で、ユーザーの移動端末が異なるサービング基地間でハンドオーバーできるようにすることで、ネットワークにサービスの継続をモバイルユーザーに提供させる必要がある。無線ネットワーク配置と動作を検証およびテストするために、ドライブテスト（ｄｒｉｖｅ  ｔｅｓｔ）が過去に行われている。ドライブテストは通常、ある領域を通してドライブできる特定の測定ツールを用いて、ネットワーク動作検証用のデータを収集するのを含む。よって、無線ネットワーク動作の手動（ｍａｎｕａｌ）テストおよび検証は一般的である。
【０００６】
現存する、特により新しいネットワーク（例えばＬＴＥおよび未来のネットワーク）は、ネットワークの手動テストを減らしてドライブテストの必要性を下げて、それにより動作コストを低減することが望ましい。よって、ドライブテストの最小化（ＭＤＴ：minimization of drive test）のサポートに関する研究が現在注目を集めている。ＭＤＴは、特殊なテスト設備の単独手動テストやオペレーター人員の関与をなくして、商用の端末を用いて、関連の測定結果を報告するものである。
【０００７】
本発明は、ＭＤＴに限定されるものではないが、ＭＤＴは、本発明に最も近い現存の技術と考えられる。ＭＤＴの特徴は、ＵＥに運用保守管理（ＯＡＭ：Operation，Administration，and Maintenance）の動作（ａｃｔｉｖｉｔｙ）、例えば近傍（ｎｅｉｇｈｂｏｒｈｏｏｄ）検出、測定、ロギング、およびＯＡＭの目的の記録などを行うことを可能にする。ＯＡＭの目的は、無線リソース管理（ＲＲＭ：Radio Resource Management）および最適化目的を含む。ＭＤＴの種類は２つある。即時型ＭＤＴでは、測定は接続（ＣＯＮＮＥＣＴＥＤ）状態でＵＥ（User Equipment）によって実行される。収集された情報は、即時にネットワークに報告されることが可能である。記録型ＭＤＴでは、測定は、ＩＤＬＥ状態でＵＥによって実行されて記録される。ＵＥは、収集した情報を後のある時点でネットワークに報告する。
【０００８】
ＵＥがＭＤＴ中に収集した測定情報（イベント情報とも呼ばれる）は、通常、ユーザーの位置情報を含むことができる、またはユーザーの位置が推定され得るデータを含むことができる。例えば、即時型ＭＤＴの無線アクセスネットワーク（ＲＡＮ）のログ、記録型ＭＤＴのログ、および無線リンク障害（Ｆａｉｌｕｒｅ）などの問題のイベントのログは、全ての位置が推定され得る位置情報またはデータを含むことができる。よって、ＭＤＴは、イベント情報を収集したＵＥがどのように各種のネットワークと収集したイベント情報を共有するかを管理する、効率的な自動管理方式が必要となる。現在の技術では、このような管理方式は存在しないといった課題があった。
【発明の概要】
【発明が解決しようとする課題】
【０００９】
本願発明は、上述のような課題を解決するためになされたもので、現在のシステムに対して最大の簡潔さおよび最小の影響を有するイベント情報（例えばＭＤＴ測定および無線リンク障害）のアクセス管理を行うことができるユーザー端末によるイベント情報のアクセス管理方法およびその装置を提供することを目的とする。
【課題を解決するための手段】
【００１０】
ユーザー端末のイベント情報のアクセス管理方法およびその装置が提供される。１つの新しい態様では、イベント情報へのアクセスは、イベント情報とメモリ内に保存されたＰＬＭＮ識別のリストに基づいて判定される。ＵＥは、イベント情報を収集し、イベント情報とＵＥ内の記憶装置のＰＬＭＮ識別のリストを保存する。次いでＵＥは、登録されたＰＬＭＮ識別とイベント情報と共に保存されたＰＬＭＮ識別のリストに基づいて、収集したイベント情報を無線アクセスネットワーク（ＲＡＮ：Radio Access Network）に伝えるかどうかを判定する。ＵＥは、この判定を２つのアクセスの管理方式のうちの１つ、（ｉ）ＵＥイベント情報通知を含むイベント情報アクセスの管理、または（ｉｉ）ＵＥイベント情報通知を含まないイベント情報の管理を用いて実行する。両アクセスの管理方式は、現在のシステムに対して最大の簡潔さおよび最小の影響を有するイベント情報のアクセスの管理を可能にする。
【００１１】
ＵＥイベント情報通知を含むイベント情報のアクセス管理では、ＵＥは、イベント情報を収集し、ＰＬＭＮ識別のリストを含むイベント情報を保存し、ＵＥの現在登録されたＰＬＭＮ識別とイベント情報がイベント情報と共に保存されたＰＬＭＮ識別のリストに含まれるかどうかを判定する。現在登録されたＰＬＭＮがＰＬＭＮ識別のリストに含まれる場合、ＵＥは、イベント情報インジケータをＲＡＮに送信し、イベント情報がＵＥで使用可能であることを示す。イベント情報インジケータを受けて、ＲＡＮは、要求インジケータをＵＥに送信し、これによりイベント情報が要求装置に伝えられるように要求する。要求インジケータを受けた後、ＵＥは、再度、現在登録されたＰＬＭＮ識別がＰＬＭＮ識別のリストに含まれるかどうかを確認し、現在登録されたＰＬＭＮ識別がＰＬＭＮ識別のリストに含まれる場合は、イベント情報のみを要求装置に送信する。
【００１２】
ＵＥイベント情報通知を含まないイベント情報のアクセス管理では、ＵＥは、イベント情報を収集し、ＰＬＭＮ識別のリストを含むイベント情報を保存する。独立の時点では、ＲＡＮは、要求インジケータをＵＥに送信し、これにより使用可能であるイベント情報が要求装置に伝えられるように要求する。要求インジケータを受けた後、ＵＥは、現在登録されたＰＬＭＮ識別がＰＬＭＮ識別のリストに含まれるかどうかを確認し（イベント情報と共に保存される）、現在登録されたＰＬＭＮ識別がＰＬＭＮ識別のリストに含まれる場合、イベント情報のみを要求装置に送信する。
【００１３】
他の実施形態及びそれらの利点を以下に詳細に説明する。この概要は、説明を限定するものではない。本発明は請求項によって特定されている。
【発明の効果】
【００１４】
本発明にかかるユーザー端末によるイベント情報のアクセス管理方法およびその装置によれば、現在のシステムに対して最大の簡潔さおよび最小の影響を有するイベント情報（例えばＭＤＴ測定および無線リンク障害）のアクセス管理を行うことができるものである。
【図面の簡単な説明】
【００１５】
【図１】１つの新規な態様に基づく３ＧＰＰシステム構造を示す説明図である。
【図２】イベント情報へのアクセスを管理する方法および装置を示す説明図である。
【図３】１つの新規な態様に基づくＥ−ＵＴＲＡＮネットワークのイベント情報へのアクセスを管理する手順を示す説明図である。
【図４】１つの新規な態様に基づくＥ−ＵＴＲＡＮネットワークのイベント情報へのアクセスを管理する手順を示す説明図である。
【図５】１つの新規な態様に基づくＵＴＲＡＮネットワークのイベント情報へのアクセスを管理する手順を示す説明図である。
【図６】１つの新規な態様に基づくＵＴＲＡＮネットワークのイベント情報へのアクセスを管理する手順を示す説明図である。
【図７】１つの新規な態様に基づくイベント情報へのアクセスを管理する方法のフローチャートである。
【図８】１つの新規な態様に基づくイベント情報へのアクセスを管理する方法のフローチャートである。
【発明を実施するための形態】
【００１６】
ここで、本発明の様々な実施形態が詳細に参照され、その実施例は添付図面を参照して説明されている。
【００１７】
図１は、１つの新規な態様に基づく３ＧＰＰシステム構造を示している。３ＧＰＰシステム１００は、ＵＴＲＡＮ無線アクセスネットワーク１０１、移動交換局またはビジターロケーションレジスタ（ＭＳＣ／ＶＬＲ）１０２、サービング汎用パケット無線サービス（ＧＰＲＳ）サポートノード（ＳＧＳＮ）１０３、ＭＧＭＴインターフェース１０４、ＭＧＭＴインターフェース１０５、ユーザー端末ＵＥ１１０、Ｅ−ＵＴＲＡＮ無線アクセスネットワーク１１１、サービングゲートウェイＳ−ＧＷ１１２、パケットデータネットワーク（ＰＤＮ）ゲートウェイＰＤＮ−ＧＷ１１３、ポリシー制御およびルーティング機能（ＰＣＲＦ）１１４、オペレーターのＩＰサービス（例えば、インターネット）１１５、ＭＭＥ１１６、ホーム加入者サーバ（ＨＳＳ）１２１、カスタマーサービスセンター１３１、および運用保守管理（ＯＡＭ）システム１３２を備えている。図１の実施形態では、Ｅ−ＵＴＲＡＮ１１１は、直交周波数分割多重（ＯＦＤＭＡ）技術によって、セルラーサービス用の新しいエアインターフェースをＵＥ１１０に提供する。Ｅ−ＵＴＲＡＮ１１１は、Ｓ−ＧＷ１１２およびＰ−ＧＷ１１３によってＩＰサービスをＵＥ１１０に提供することもできる。一方、ＵＴＲＡＮ１０１は、広帯域符号分割多重アクセス（Ｗ−ＣＤＭＡ）技術によってＵＥとネットワーク間の接続を提供するＵＭＴＳ無線アクセスネットワークである。３ＧＰＰ ＬＴＥシステムでは、ＨＳＳ１２１、Ｓ−ＧＷ１１２、およびＰＤＮ−ＧＷ１１３、および他のノード（図示されていない）は、発展型パケットコアネットワークを形成し、発展型パケットコアネットワークおよびＥ−ＵＴＲＡＮ１１１は、共に公衆陸上移動体ネットワーク（ＰＬＭＮ）を形成する。３ＧＰＰ  ＵＴＲＡシステムでは、ＨＳＳ１２１、ＭＳＣ１０２、ＳＧＳＮ１０３、および他のノード（図示されていない）は、コアネットワークを形成する。ＵＴＲＡＮ１０１およびコアネットワークは、共に公衆陸上移動体ネットワーク（ＰＬＭＮ）を形成する。Ｅ−ＵＴＲＡＮおよびＵＴＲＡＮ無線アクセスネットワークが上述されているが、本発明によって他の無線アクセスネットワークが改善されることが当業者には理解できるだろう。これらの無線アクセスネットワークのいくつかは、高速ダウンリンクパケットアクセス（ＨＳＤＰＡ）ネットワーク、高速アップリンクパケットアクセス（ＨＳＵＰＡ）ネットワーク、符号分割多元接続（ＣＤＭＡ）ネットワーク、自己管理ネットワーク（ＳＯＮ）、または直交周波数分割多元接続（ＯＦＤＭＡ）無線アクセスネットワークである。
【００１８】
３ＧＰＰは、新しい特徴を導入し、ＬＴＥおよびＵＴＲＡのシステムオペレータを助け、コスト効果の高い方法でネットワーク計画を更に最適化する。ドライブテストの最小化（ＭＤＴ）は、ＵＥが測定を収集し、測定情報をそのサービングｅＮＢおよびサービングＲＮＣに報告する特徴の１つである。ＭＤＴの特徴は、ＵＥに運用保守管理（ＯＡＭ）の動作（ａｃｔｉｖｉｔｙ）、例えば近傍（ｎｅｉｇｈｂｏｒｈｏｏｄ）検出、測定、ログイン、およびＯＡＭの目的の記録などを行うことを可能にする。ＯＡＭの目的は、無線リソース管理（ＲＲＭ）および最適化目的を含む。ＭＤＴの種類は２つある。即時型ＭＤＴでは、測定は接続（ｃｏｎｎｅｃｔｅｄ）状態でＵＥによって実行される。収集された情報は、即時にネットワークに報告されるように利用可能である。記録型ＭＤＴでは、測定は、ＩＤＬＥ状態でＵＥによって実行されて記録される。ＵＥは、収集した情報を後のある時点でネットワークに報告する。
【００１９】
ＵＥが収集した測定情報（イベント情報とも呼ばれる）は、通常、ＭＤＴの測定情報、ブロードキャスト通信の障害情報のログ、マルチキャスト通信の障害情報のログ、ランダムアクセスチャネル（ＲＡＣＨ）性能（ｐｅｒｆｏｒｍａｎｃｅ）のログ、および無線リンク障害を含む通信問題のログ、ハンドオーバー障害、および無線リソース制御（ＲＲＣ）の接続確立障害を含むことができる。例えば、即時型ＭＤＴのＲＡＮのログ、記録型ＭＤＴのログ、および無線リンク障害などの問題のイベントのログは全て、位置と速度の情報または位置と速度が推定され得るデータを含むことができる。よって、ＭＤＴは、イベント情報を収集したＵＥがどのように各種の無線アクセスネットワークと収集したイベント情報を共有するかを管理する、効率的な自動管理方式が必要となる。現在の技術では、このような管理方式は存在しない。
【００２０】
１つの新規な態様では、イベント情報へのアクセスは、イベント情報とメモリ内に保存されたＰＬＭＮ識別のリストに基づいて判定される。ＵＥは、イベント情報を収集し、ＵＥ内の記憶装置にイベント情報とＰＬＭＮ識別のリストを保存する。次いでＵＥは、登録されたＰＬＭＮ識別とイベント情報と共に保存されたＰＬＭＮ識別のリストに基づいて、収集したイベント情報を無線アクセスネットワーク（ＲＡＮ）に対して伝えるかどうかを判定する。登録されたＰＬＭＮ識別は、ＵＥがうまく位置登録を行ったＰＬＭＮのＰＬＭＮ識別である。ＵＥは、この判定を２つのアクセスの管理方式のうちの１つ、（ｉ）ＵＥイベント情報通知を含むイベント情報のアクセス管理、または（ｉｉ）ＵＥイベント情報通知を含まないイベント情報の管理を用いて実行する。両アクセスの管理方式は、現在のシステムに対して最大の簡潔さおよび最小の影響を有するイベント情報のアクセス管理を可能にする。イベント情報の記録と報告が非配置である時（例えば、全てのＵＥが常時、先の配置なしで情報を記録する時）、イベント情報をネットワークと共有するかどうかを判定するセキュリティ手続きのための、ＵＥ内に既に保存された情報を用いる主な利点が実現される。その利点は、さもないと全てのＵＥが上述の情報をいつ共有すべきか理解するためシグナリングを必要とするときのシグナリングの大幅な減少である。
【００２１】
図２は、移動体ネットワーク２００のイベント情報を収集、且つアクセスする例示的な方法および装置を示す説明図である。移動体ネットワーク２００は、ＵＥ２１０、Ｅ−ＵＴＲＡＮセル２１２、およびＵＴＲＡＮセル２１５を備えている。Ｅ−ＵＴＲＡＮセル２１２は、ｅＮｏｄｅＢ２１１および無線アクセスネットワーク（ＲＡＮ）の制御ノード２１４を有する。ＵＴＲＡＮセル２１５は、ｅＮｏｄｅＢ２１３および無線アクセスネットワーク（ＲＡＮ）の制御ノード２１６を有する。３ＧＰＰ ＬＴＥシステムを例に用いて、ＵＥ２１０は、Ｅ−ＵＴＲＡＮセル２１２によってセルラーおよびＩＰサービスに加入し（ｓｕｂｓｃｒｉｂｅ）、サービングｅＮｏｄｅＢ２１１によってサーブされる。ＵＥ２１０は、メモリ２４１、プロセッサ２４２、情報収集モジュール２４４（例えば、イベント情報を測定、かつ記録する）を含むイベント測定モジュール２４３、制御モジュール２４５（例えば、登録されたＰＬＭＮ識別とＰＬＭＮ識別とを比較し、イベント情報がＲＡＮコントローラ２１４に伝送されるかどうかを判定する）、およびアンテナ２４７に接続された無線周波数（ＲＦ）モジュール２４６を含む。ＵＥ２１０のコンテンツ（ｃｏｎｔｅｎｔｓ）は、ＵＥにイベント情報を収集させる（情報収集モジュール２４４）能力を提供し、イベント情報とＰＬＭＮ識別のリストをＵＥ内のメモリ２４１（記憶装置）に保存する。ＵＥ２１０の構成要素は、登録されたＰＬＭＮとイベント情報と共に保存されたＰＬＭＮ識別のリストに基づいて、ＵＥに（制御モジュール２４５によって）収集されたイベント情報を無線アクセスネットワーク（ＲＡＮ）に伝えるかどうか（プロセッサ２４２、ＲＦモジュール２４６、およびアンテナ２４７）を判定する能力を有している。ＵＥは、この判定を２つのアクセスの管理方式のうちの１つ、（ｉ）ＵＥイベント情報通知を含むイベント情報のアクセス管理、または（ｉｉ）ＵＥイベント情報通知を含まないイベント情報の管理を用いて実行する。
【００２２】
異なるモジュールは、ソフトウェア、ファームウェア、ハードウェア、またはその任意の組み合わせによって実現される得る機能モジュールである。プロセッサによって実行された時、機能モジュールは、ＵＥ２１０にイベント情報収集を実行させ、イベント情報をＲＡＮコントローラ２１４に報告する。同様に、３ＧＰＰ ＵＴＲＡシステムでは、ＵＴＲＡＮセル２１５は、サービスをユーザーに提供する。
【００２３】
図３は、１つの新しい態様に基づくＵＥイベント情報通知を含むＥ−ＵＴＲＡＮのイベント情報のアクセス管理の第１の実施形態を示す説明図である。移動体ネットワーク４００は、ＵＥ４０１、Ｅ−ＵＴＲＡＮ４０２、ＭＭＥ４０３、中央データベース４０５を有するＨＳＳ４０４、カスタマーサービスシステム４０６、およびＯＡＭシステム４０７を含む。ステップ４１０では、ＵＥ４０１は、イベント情報の収集を開始する。イベント情報は、ＵＥによって観察されたネットワークパフォーマンスに関連した任意の測定であることができる。例えば、イベント情報は、ドライブテストの最小化（ＭＤＴ）、ＭＤＴの測定情報、ブロードキャスト通信の障害情報、マルチキャスト通信の障害情報、ランダムアクセスチャネル（ＲＡＣＨ）性能（ｐｅｒｆｏｒｍａｎｃｅ）、および無線リンク障害を含む通信問題、ハンドオーバー障害、および無線リソース制御（ＲＲＣ）の接続確立障害を含むことができる。１つの例では、ＵＥは、複数のイベントに関する情報を収集し、イベント情報のログを発生する。
【００２４】
次いで、ＵＥは収集されたイベント情報、およびＵＥに先に保存された現存するＰＬＭＮ識別のリスト（“ＰＬＭＮ識別の参照リスト”）を保存する（ステップ４１１）。１つの例では、保存されたＰＬＭＮ識別のリストは、等価ＰＬＭＮ（ＥＰＬＭＮ）識別のリストか、等価ホームＰＬＭＮ（ＥＨＰＬＭＮ）識別のリストのどちらかである。もう１つの例では、ＵＥは、ＵＥによって用いられるメモリに保存されたＰＬＭＮタイプインジケータ（ｉｎｄｉｃａｔｏｒ）値を有し、収集されたイベント情報と共に保存されたＰＬＭＮ識別のリストがＥＨＰＬＭＮ識別のリストまたはＥＰＬＭＮ識別のリストであるかどうかを判定する。もう１つの例では、ＵＥがローミングされていない時、イベント情報と共に保存されたＰＬＭＮ識別のリストは、等価ホームＰＬＭＮ（ＥＨＰＬＭＮ）識別のリストである。
【００２５】
次いで、ステップ４１２では、ＵＥは、現在登録されたＰＬＭＮ識別（現在の登録されたＰＬＭＮ識別）が収集されたイベント情報と共に保存されたＰＬＭＮ識別のリストに含まれるかどうか判定する。登録されたＰＬＭＮ識別が保存されたＰＬＭＮ識別のリストに含まれる場合、ＵＥは、イベント情報インジケータをＥ−ＵＴＲＡＮ４０２に送信し、イベント情報がＵＥ４０１で使用可能であることを示す（ステップ４１３）。１つの例では、イベント情報インジケータは、ＵＥ４０１からＥ−ＵＴＲＡＮ４０２に送信される関連のないメッセージに加えられた一連のビットである。もう１つの例は、イベント情報インジケータは、専用（ｄｅｄｉｃａｔｅｄ）メッセージでＵＥ４０１からＥ−ＵＴＲＡＮ４０２に送信される。
【００２６】
次いで、Ｅ−ＵＴＲＡＮ４０２は、ＵＥ４０１のイベント情報へのアクセスが必要かどうかを判定する。Ｅ−ＵＴＲＡＮ４０２がＵＥ４０１に保存されたイベント情報へのアクセスが必要な場合、Ｅ−ＵＴＲＡＮ４０２は、要求インジケータ（ｒｅｑｕｅｓｔ  ｉｎｄｉｃａｔｏｒ）をＵＥ４０１に送信し、イベント情報が要求装置に伝えられるように要求する（ステップ４１４）。１つの例では、要求装置は、無線アクセス制御ノードである。イベント情報インジケータと同様に、要求インジケータは、Ｅ−ＵＴＲＡＮ４０２からＵＥ４０１に送信される関連のないメッセージに加えられた一連のビットであることができる。もう１つの例は、要求インジケータは、専用メッセージでＥ−ＵＴＲＡＮ４０２からＵＥ４０１に送信される。
【００２７】
要求インジケータを受信した後、ＵＥ４０１は、現在登録されたＰＬＭＮ識別が保存されたＰＬＭＮ識別のリストに含まれるかどうかを判定する（ステップ４１５）。登録されたＰＬＭＮ識別が保存されたＰＬＭＮ識別のリストに含まれるイベントでは、ＵＥ４０１は、イベント情報を要求装置に送信する（ステップ４１６）。登録されたＰＬＭＮ識別が保存されたＰＬＭＮ識別のリストに含まれないイベントでは、ＵＥ４０１は、イベント情報をどの装置にも伝えない。注意するのは、この全プロセス中、測定収集配置は必要でないことである。むしろ、ＵＥ４０１は、後に無線アクセスネットワークによってアクセスができるように、イベント情報を独立して測定し、収集する。
【００２８】
図４は、１つの新規な態様に基づく、ＵＥのイベント情報通知を含まないＥ−ＵＴＲＡＮのイベント情報へのアクセスを管理する第２の実施形態を表している。図４に表されている移動体ネットワーク４００は、図３に表されている移動体ネットワークと同じであるが、図４は、ＵＥのイベント情報通知を含まないイベント情報の管理を表している。
【００２９】
移動体ネットワーク４００は、ＵＥ４０１、Ｅ−ＵＴＲＡＮ４０２、ＭＭＥ４０３、中央データベース４０５を有するＨＳＳ４０４、カスタマーサービスシステム４０６、およびＯＡＭシステム４０７を含む。ステップ４２０では、ＵＥ４０１は、イベント情報の収集を開始する。イベント情報は、ＵＥによって観察されたネットワークパフォーマンスに関連した任意の測定であることができる。例えば、イベント情報は、ドライブテスト（ＭＤＴ）の測定情報、ブロードキャスト通信の障害情報、マルチキャスト通信の障害情報、ランダムアクセスチャネル（ＲＡＣＨ）性能（ｐｅｒｆｏｒｍａｎｃｅ）、および無線リンク障害を含む通信問題、ハンドオーバー障害、および無線リソース制御（ＲＲＣ）の接続確立障害を含むことができる。
１つの例では、ＵＥは、複数のイベントに関する情報を収集し、イベント情報のログを発生する。
【００３０】
次いで、ＵＥは収集されたイベント情報、およびＵＥに先に保存された現存するＰＬＭＮ識別のリスト（“ＰＬＭＮ識別の参照リスト”）を保存する（ステップ４２１）。１つの例では、保存されたＰＬＭＮ識別のリストは、等価ＰＬＭＮ（ＥＰＬＭＮ）識別のリストか、等価ホームＰＬＭＮ（ＥＨＰＬＭＮ）識別のリストのどちらかである。もう１つの例では、ＵＥは、ＵＥによって用いられるメモリに保存されたＰＬＭＮタイプインジケータ（ｉｎｄｉｃａｔｏｒ）値を有し、収集されたイベント情報と共に保存されたＰＬＭＮ識別のリストがＥＨＰＬＭＮ識別のリストまたはＥＰＬＭＮ識別のリストであるかどうかを判定する。もう１つの例では、ＵＥがローミングされていない時、イベント情報と共に保存されたＰＬＭＮ識別のリストは、等価ホームＰＬＭＮ（ＥＨＰＬＭＮ）識別のリストである。次いで、Ｅ−ＵＴＲＡＮ４０２は、ＵＥ４０１のイベント情報へのアクセスが必要かどうかを判定する。Ｅ−ＵＴＲＡＮ４０２がＵＥ４０１に保存されたイベント情報へのアクセスが必要な場合、Ｅ−ＵＴＲＡＮ４０２は、要求インジケータ（ｒｅｑｕｅｓｔ  ｉｎｄｉｃａｔｏｒ）をＵＥ４０１に送信し、イベント情報が要求装置に伝えられるように要求する（ステップ４２２）。この時点では、Ｅ−ＵＴＲＡＮ４０２は、ＵＥ４０１からイベント情報インジケータを受信していないが、Ｅ−ＵＴＲＡＮ４０２は、ＵＥ４０１がイベント情報を保存している可能性があるため、ＵＥ４０１をポーリングする。１つの例では、要求装置は、無線アクセス制御ノードである。イベント情報インジケータと同様に、要求インジケータは、Ｅ−ＵＴＲＡＮ４０２からＵＥ４０１に送信される関連のないメッセージに加えられた一連のビットであることができる。もう１つの例は、要求インジケータは、専用メッセージでＥ−ＵＴＲＡＮ４０２からＵＥ４０１に送信される。
【００３１】
要求インジケータを受信した後、ＵＥ４０１は、現在登録されたＰＬＭＮ識別が保存されたＰＬＭＮ識別のリストに含まれるかどうかを判定する（ステップ４２３）。登録されたＰＬＭＮ識別が保存されたＰＬＭＮ識別のリストに含まれるイベントでは、ＵＥ４０１は、イベント情報を要求装置に送信する（ステップ４２４）。登録されたＰＬＭＮ識別が保存されたＰＬＭＮ識別のリストに含まれないイベントでは、ＵＥ４０１は、イベント情報をどの装置にも伝えない。注意するのは、この全プロセス中、測定収集配置は必要でないことである。むしろ、ＵＥ４０１は、後に無線アクセスネットワークによってアクセスができるように、イベント情報を独立して測定し、収集する。
【００３２】
図５は、１つの新規な態様のＵＥのイベント情報通知を含むＵＴＲＡＮのイベント情報のアクセス管理する第１の実施形態を示す説明図である。移動体ネットワーク４５０は、ＵＥ４５１、ＵＴＲＡＮ４５２、ＳＧＳＮ／ＭＣＣ４５３、中央データベース４５５を有するＨＳＳ４５４、カスタマーサービスシステム４５６、およびＯＡＭシステム４５７を含む。ステップ４３０では、ＵＥ４５１は、イベント情報の収集を開始する。イベント情報は、ＵＥによって観察されたネットワークパフォーマンスに関連した任意の測定であることができる。例えば、イベント情報は、ドライブテストの最小化（ＭＤＴ）の測定情報、ブロードキャスト通信の障害情報、マルチキャスト通信の障害情報、ランダムアクセスチャネル（ＲＡＣＨ）性能（ｐｅｒｆｏｒｍａｎｃｅ）、および無線リンク障害を含む通信問題、ハンドオーバー障害、および無線リソース制御（ＲＲＣ）の接続確立障害を含むことができる。１つの例では、ＵＥは、複数のイベントに関する情報を収集し、イベント情報のログを発生する。
【００３３】
次いで、ＵＥは収集されたイベント情報、およびＵＥに先に保存された現存するＰＬＭＮ識別のリスト（“ＰＬＭＮ識別の参照リスト”）を保存する（ステップ４３１）。１つの例では、保存されたＰＬＭＮ識別のリストは、等価ＰＬＭＮ（ＥＰＬＭＮ）識別のリストか、等価ホームＰＬＭＮ（ＥＨＰＬＭＮ）識別のリストのどちらかである。もう１つの例では、ＵＥは、ＵＥによって用いられるメモリに保存されたＰＬＭＮタイプインジケータ（ｉｎｄｉｃａｔｏｒ）値を有し、収集されたイベント情報と共に保存されたＰＬＭＮ識別のリストがＥＨＰＬＭＮ識別のリストまたはＥＰＬＭＮ識別のリストであるかどうかを判定する。もう１つの例では、ＵＥがローミングされていない時、イベント情報と共に保存されたＰＬＭＮ識別のリストは、等価ホームＰＬＭＮ（ＥＨＰＬＭＮ）識別のリストである。
【００３４】
次いで、ステップ４３２では、ＵＥは、現在登録されたＰＬＭＮ識別（現在の登録されたＰＬＭＮ識別）が収集されたイベント情報と共に保存されたＰＬＭＮ識別のリストに含まれるかどうかを判定する。登録されたＰＬＭＮ識別が保存されたＰＬＭＮ識別のリストに含まれる場合、ＵＥは、イベント情報インジケータをＥ−ＵＴＲＡＮ４５２に送信し、イベント情報がＵＥ４５１で使用可能であることを示す（ステップ４３３）。１つの例では、イベント情報インジケータは、ＵＥ４５１からＵＴＲＡＮ４５２に送信される関連のないメッセージに加えられた一連のビットである。もう１つの例は、イベント情報インジケータは、専用（ｄｅｄｉｃａｔｅｄ）メッセージでＵＥ４４１からＵＴＲＡＮ４５２に送信される。
【００３５】
次いで、ＵＴＲＡＮ４５２は、ＵＥ４５１のイベント情報へのアクセスが必要かどうかを判定する。ＵＴＲＡＮ４５２がＵＥ４５１に保存されたイベント情報へのアクセスが必要な場合、ＵＴＲＡＮ４５２は、要求インジケータ（ｒｅｑｕｅｓｔ  ｉｎｄｉｃａｔｏｒ）をＵＥ４５１に送信し、イベント情報が要求装置に伝えられるように要求する（ステップ４３４）。１つの例では、要求装置は、無線アクセス制御ノードである。イベント情報インジケータと同様に、要求インジケータは、ＵＴＲＡＮ４５２からＵＥ４５１に送信される関連のないメッセージに加えられた一連のビットであることができる。もう１つの例は、要求インジケータは、専用メッセージでＵＴＲＡＮ４５２からＵＥ４５１に送信される。
【００３６】
要求インジケータを受信した後、ＵＥ４５１は、現在登録されたＰＬＭＮ識別が保存されたＰＬＭＮ識別のリストに含まれるかどうかを判定する（ステップ４３５）。登録されたＰＬＭＮ識別が保存されたＰＬＭＮ識別のリストに含まれるイベントでは、ＵＥ４５１は、イベント情報を要求装置に送信する（ステップ４３６）。登録されたＰＬＭＮ識別が保存されたＰＬＭＮ識別のリストに含まれないイベントでは、ＵＥ４５１は、イベント情報をどの装置にも伝えない。注意するのは、この全プロセス中、測定収集配置は必要でないことである。むしろ、ＵＥ４５１は、後に無線アクセスネットワークによってアクセスができるように、イベント情報を独立して測定し、収集する。
【００３７】
図６は、１つの新規な態様に基づく、ＵＥのイベント情報通知を含まないＵＴＲＡＮのイベント情報のアクセス管理する第２の実施形態を示す説明図である。図６に表されている移動体ネットワーク４５０は、図５に表されている移動体ネットワークと同じであるが、図６は、ＵＥのイベント情報通知を含まないイベント情報の管理を表している。
【００３８】
移動体ネットワーク４５０は、ＵＥ４５１、ＵＴＲＡＮ４５２、ＭＭＥ４５３、中央データベース４５５を有するＨＳＳ４５４、カスタマーサービスシステム４５６、およびＯＡＭシステム４５７を含む。ステップ４４０では、ＵＥ４５１は、イベント情報の収集を開始する。イベント情報は、ＵＥによって観察されたネットワークパフォーマンスに関連した任意の測定である。例えば、ドライブテストの最小化（ＭＤＴ）の測定情報、ブロードキャスト通信の障害情報、マルチキャスト通信の障害情報、ランダムアクセスチャネル（ＲＡＣＨ）性能（ｐｅｒｆｏｒｍａｎｃｅ）、および無線リンク障害を含む通信問題、ハンドオーバー障害、および無線リソース制御（ＲＲＣ）の接続確立障害を含むことができる。１つの例では、ＵＥは、複数のイベントに関する情報を収集し、イベント情報のログを発生する。
【００３９】
次いで、ＵＥは収集されたイベント情報、およびＵＥ４５１に先に保存された現存するＰＬＭＮ識別のリスト（“ＰＬＭＮ識別の参照リスト”）を保存する（ステップ４４１）。１つの例では、保存されたＰＬＭＮ識別のリストは、等価ＰＬＭＮ（ＥＰＬＭＮ）識別のリストか、等価ホームＰＬＭＮ（ＥＨＰＬＭＮ）識別のリストのどちらかである。もう１つの例では、ＵＥは、ＵＥによって用いられるメモリに保存されたＰＬＭＮタイプインジケータ（ｉｎｄｉｃａｔｏｒ）値を有し、収集されたイベント情報と共に保存されたＰＬＭＮ識別のリストがＥＨＰＬＭＮ識別のリストまたはＥＰＬＭＮ識別のリストであるかどうかを判定する。もう１つの例では、ＵＥがローミングされていない時、イベント情報と共に保存されたＰＬＭＮ識別のリストは、等価ホームＰＬＭＮ（ＥＨＰＬＭＮ）識別のリストである。次いで、ＵＴＲＡＮ４５２は、ＵＥ４５１のイベント情報へのアクセスが必要かどうかを判定する。ＵＴＲＡＮ４５２がＵＥ４５１に保存されたイベント情報へのアクセスが必要な場合、ＵＴＲＡＮ４５２は、要求インジケータ（ｒｅｑｕｅｓｔ ｉｎｄｉｃａｔｏｒ）をＵＥ４５１に送信し、イベント情報が要求装置に伝えられるように要求する（ステップ４４２）。この時点では、ＵＴＲＡＮ４５２は、ＵＥ４５１からイベント情報インジケータを受信していないが、ＵＴＲＡＮ４５２は、ＵＥ４５１がイベント情報を保存している可能性があるため、ＵＥ４５１をポーリングする。１つの例では、要求装置は、無線アクセス制御ノードである。要求インジケータは、ＵＴＲＡＮ４５２からＵＥ４５１に送信される関連のないメッセージに加えられた一連のビットであることができる。もう１つの例は、要求インジケータは、専用メッセージでＵＴＲＡＮ４５２からＵＥ４５１に送信される。
【００４０】
要求インジケータを受信した後、ＵＥ４５１は、現在登録されたＰＬＭＮ識別が保存されたＰＬＭＮ識別のリストに含まれるかどうかを判定する（ステップ４４３）。登録されたＰＬＭＮ識別が保存されたＰＬＭＮ識別のリストに含まれるイベントでは、ＵＥ４５１は、イベント情報を要求装置に送信する（ステップ４４４）。登録されたＰＬＭＮ識別が保存されたＰＬＭＮ識別のリストに含まれないイベントでは、ＵＥ４５１は、イベント情報をどの装置にも伝えない。注意するのは、この全プロセス中、測定収集配置は必要でないことである。むしろ、ＵＥ４５１は、後に無線アクセスネットワークによってアクセスができるように、イベント情報を独立して測定し、収集する。
【００４１】
図７は、１つの新規な態様に基づく、ＵＥのイベント情報通知を含むイベント情報をアクセス管理する方法のフローチャートである。移動体ネットワークは、ＵＥおよび無線アクセスネットワーク（ＲＡＮ）を含む。ステップ５０１では、ＵＥは、動作中、ＵＥによって観察されたイベント情報の測定および収集を開始する。イベント情報を得た後、次いで、ＵＥは収集されたイベント情報、およびＵＥに先に保存された現存するＰＬＭＮ識別のリストを保存する（ステップ５０２）。１つの例では、保存されたＰＬＭＮ識別のリストは、等価ＰＬＭＮ（ＥＰＬＭＮ）識別のリストか、等価ホームＰＬＭＮ（ＥＨＰＬＭＮ）識別のリストのどちらかである。もう１つの例では、ＵＥは、ＵＥによって用いられるメモリに保存されたＰＬＭＮタイプインジケータ（ｉｎｄｉｃａｔｏｒ）値を有し、収集されたイベント情報と共に保存されたＰＬＭＮ識別のリストがＥＨＰＬＭＮ識別のリストまたはＥＰＬＭＮ識別のリストであるかどうかを判定する。もう１つの例では、ＵＥがローミングされていない時、イベント情報と共に保存されたＰＬＭＮ識別のリストは、等価ホームＰＬＭＮ（ＥＨＰＬＭＮ）識別のリストである。
【００４２】
次いで、ステップ５０３では、ＵＥは、現在登録されたＰＬＭＮ識別がイベント情報と共に保存されたＰＬＭＮ識別のリストに含まれるかどうか判定する。イベントが現在の登録されたＰＬＭＮ識別がイベント情報と共に保存されたＰＬＭＮ識別のリストに含まれる場合、ＵＥは、イベント情報インジケータを無線アクセスネットワークに送信し、イベント情報が保存され、且つＵＥで使用可能であることを示す（ステップ５０４）。イベント情報インジケータを受けた後、無線アクセスネットワークは、イベント情報が必要かどうかを判定する。無線アクセスネットワークがＵＥに保存されたイベント情報を必要な場合、無線アクセスネットワークは、要求インジケータをＵＥに送信し、イベント情報が要求装置に伝えられるように要求する（ステップ５０５）。１つの例では、要求装置は、無線アクセス制御ノードである。イベント情報インジケータと同様に、要求インジケータは、無線アクセスネットワークからＵＥに送信される関連のないメッセージに加えられた一連のビットであることができる。もう１つの例は、要求インジケータは、専用メッセージで無線アクセスネットワークからＵＥに送信される。ステップ５０６では、ＵＥは、現在登録されたＰＬＭＮ識別がイベント情報と共に保存されたＰＬＭＮ識別のリストに含まれるかどうか判定する。現在登録されたＰＬＭＮ識別が保存されたＰＬＭＮ識別のリストに含まれる場合、ＵＥは、イベント情報を要求装置に送信する（ステップ５０７）。登録されたＰＬＭＮ識別が保存されたＰＬＭＮ識別のリストに含まれないイベントでは、ＵＥ４０１は、イベント情報をどの装置にも伝えない。
【００４３】
図８は、１つの新規な態様に基づく、ＵＥのイベント情報通知を含まないイベント情報のアクセス管理する方法のフローチャートである。移動体ネットワークは、ＵＥおよび無線アクセスネットワーク（ＲＡＮ）を含む。ステップ６０１では、ＵＥは、動作中、ＵＥによって観察されたイベント情報の測定および収集を開始する。イベント情報を得た後、次いで、ＵＥは収集されたイベント情報、およびＵＥに先に保存された現存するＰＬＭＮ識別のリストを保存する（ステップ６０２）。１つの例では、保存されたＰＬＭＮ識別のリストは、等価ＰＬＭＮ（ＥＰＬＭＮ）識別のリストか、等価ホームＰＬＭＮ（ＥＨＰＬＭＮ）識別のリストのどちらかである。もう１つの例では、ＵＥは、ＵＥによって用いられるメモリに保存されたＰＬＭＮタイプインジケータ（ｉｎｄｉｃａｔｏｒ）値を有し、収集されたイベント情報と共に保存されたＰＬＭＮ識別のリストがＥＨＰＬＭＮ識別のリストまたはＥＰＬＭＮ識別のリストであるかどうかを判定する。もう１つの例では、ＵＥがローミングされていない時、イベント情報と共に保存されたＰＬＭＮ識別のリストは、等価ホームＰＬＭＮ（ＥＨＰＬＭＮ）識別のリストである。
【００４４】
次いで、ステップ６０３では、無線アクセスネットワークは、要求インジケータをＵＥに送信し、イベント情報が要求装置に伝えられるように要求する。この時点では、無線アクセスネットワークは、ＵＥからイベント情報インジケータを受信していないが、無線アクセスネットワークは、ＵＥがイベント情報を保存している可能性があるため、ＵＥをポーリングする。１つの例では、要求装置は、無線アクセス制御ノードである。要求インジケータは、無線アクセスネットワークからＵＥに送信される関連のないメッセージに加えられた一連のビットであることができる。もう１つの例は、要求インジケータは、専用メッセージで無線アクセスネットワークからＵＥに送信される。ステップ６０４では、ＵＥは、現在登録されたＰＬＭＮ識別がイベント情報と共に保存されたＰＬＭＮ識別のリストに含まれるかどうか判定する。現在の登録されたＰＬＭＮ識別がＰＬＭＮ識別のリストに含まれる場合、ＵＥは、イベント情報を要求装置に送信する（ステップ６０５）。登録されたＰＬＭＮ識別が保存されたＰＬＭＮ識別のリストに含まれないイベントでは、ＵＥは、イベント情報をどの装置にも伝えない。
【００４５】
本発明は、説明のためにある特定の実施の形態に関連して述べているが本発明はこれを制限するものではない。よって、種々の変更、改造、及び上述の実施の形態の種々の特徴の組み合わせがこの請求項に記載したような本発明の範囲を逸脱せずに、行い得る。
【符号の説明】
【００４６】
１００  ３ＧＰＰシステム
１０１  ＵＴＲＡＮ無線アクセスネットワーク
１０２  移動交換局またはビジターロケーションレジスタ（ＭＳＣ／ＶＬＲ）
１０３  サービング汎用パケット無線サービス（ＧＰＲＳ）サポートノード（ＳＧＳＮ）
１０４、１０５  ＭＧＭＴインターフェース
１１０  ユーザー端末ＵＥ
１１１  Ｅ−ＵＴＲＡＮ無線アクセスネットワーク
１１２  サービングゲートウェイＳ−ＧＷ
１１３  パケットデータネットワーク（ＰＤＮ）ゲートウェイＰＤＮ−ＧＷ
１１４  ポリシー制御およびルーティング機能（ＰＣＲＦ）
１１５  オペレーターのＩＰサービス（インターネット）
１１６  ＭＭＥ
１２１  ホーム加入者サーバ（ＨＳＳ）
１３１  カスタマーサービスセンター
１３２  運用保守管理（ＯＡＭ）システム
２００  移動体ネットワーク
２１０  ＵＥ
２１１  ｅＮｏｄｅＢ
２１２  Ｅ−ＵＴＲＡＮセル
２１３  ｅＮｏｄｅＢ
２１４  無線アクセスネットワーク（ＲＡＮ）の制御ノード
２１５  ＵＴＲＡＮセル
２１６  無線アクセスネットワーク（ＲＡＮ）の制御ノード
２４１  メモリ
２４２  プロセッサ
２４３  イベント測定モジュール
２４４  情報収集モジュール
２４５  制御モジュール
２４６  無線周波数（ＲＦ）モジュール
２４７  アンテナ
４００  移動体ネットワーク
４０１  ＵＥ
４０２  Ｅ−ＵＴＲＡＮ
４０３  ＭＭＥ
４０４  ＨＳＳ
４０５  中央データベース
４０６  カスタマーサービスシステム
４０７  ＯＡＭシステム
４５１  ＵＥ
４５２  Ｅ−ＵＴＲＡＮ
４５３  ＭＭＥ
４５４  ＨＳＳ
４５５  中央データベース
４５６  カスタマーサービスシステム
４５７  ＯＡＭシステム
【図１】
0005805310.tif 000002
【図２】
0005805310.tif 000003
【図３】
0005805310.tif 000004
【図４】
0005805310.tif 000005
【図５】
0005805310.tif 000006
【図６】
0005805310.tif 000007
【図７】
0005805310.tif 000008
【図８】
0005805310.tif 000009